(57)【要約】【課題】  狭いスペースで長期間安定に動作し確実にクリック感を与え得る電子時計の押ボタン用スイッチ構造体を提供すること【解決手段】  電子時計の押ボタン用スイッチ構造体は、ボタン受部２４とクリック感生成ばね押圧部２５とを備え、押ボタン１０が押込み位置Ｐ２に向かってＡ１方向に押込まれる際に押ボタンの押圧力をボタン受部２４で受けて一方向Ｂ１に弾性変形される戻し板ばね２０と、押圧部２５の押圧力を戻しばね受部３５で受けてＤ１方向に弾性変形されるクリック感生成板ばね３０とを有する。受部３５は、押圧部２５の変位が所定レベル以下の第一の斜面部４０で所定レベルを越えると第二の斜面部５０で押圧部２５の押圧力を受け、両斜面部４０，５０の境界６０における斜面部５０の接線Ｔ２が該境界６０における斜面部４０の接線Ｔ１とは異なる方向で且つ斜面部４０の接線より押圧部２５の変位方向Ｂ１に近い方向に延びる。【選択図】  図３
2008175738.tif 000002
【特許請求の範囲】
【請求項１】
押圧力入力端部を手前側に備えると共に戻しばね押圧部を奥側に備え、前記押圧力入力端部が突出する突出位置と該押圧力入力端部が押込まれる押込み位置との間で往復動可能な押ボタンにより作動される電子時計の押ボタン用スイッチ構造体であって、
ボタン受部とクリック感生成ばね押圧部とを備え、前記押ボタンが押込み位置に向かって押込まれる際に前記戻しばね押圧部の押圧力を前記ボタン受部で受けて一方向に弾性変形される戻し板ばねと、
戻しばね受部を備え、前記戻し板ばねの前記変形に伴う前記クリック感生成ばね押圧部の押圧力を前記戻しばね受部で受けて弾性変形されるクリック感生成板ばねとを具備し、
前記戻しばね受部が、
前記戻し板ばねの前記クリック感生成ばね押圧部の変位が所定レベル以下である場合に該クリック感生成ばね押圧部の押圧力を受ける第一の斜面部と、
境界を介して該第一の斜面部につながり、前記戻し板ばねの前記クリック感生成ばね押圧部の変位が所定レベルを越えた際に該クリック感生成ばね押圧部の押圧力を受ける第二の斜面部とを有し、
前記境界における前記第二の斜面部の接線が該境界における前記第一の斜面部の接線とは異なる方向で且つ前記第一の斜面部の接線よりも前記クリック感生成ばね押圧部の変位方向に近い方向に延びている電子時計の押ボタン用スイッチ構造体。
【請求項２】
前記押ボタンが直線的に往復動するように構成され、
前記戻し板ばねのボタン受部及びクリック感生成ばね押圧部が該押ボタンの移動方向に沿う方向に変位されるように構成された請求項１に記載の電子時計の押ボタン用スイッチ構造体。
【請求項３】
前記戻しばね受部の前記第一の斜面部は、前記境界に近付くほど該斜面部の接線と前記クリック感生成ばね押圧部の変位方向との角が大きくなるように弧状に湾曲した弧状湾曲部からなり、前記第二の斜面部が該弧状湾曲部の延在端から該湾曲部に対して交差する向きに直線状に延在している請求項１又は２に記載の電子時計の押ボタン用スイッチ構造体。
【請求項４】
前記クリック感生成板ばねの前記戻しばね受部が、板状部の側面に形成されている請求項１から３までのいずれか一つの項に記載の電子時計の押ボタン用スイッチ構造体。
【請求項５】
前記戻し板ばね及び前記クリック感生成板ばねが同一又は平行な平面内で弾性変位されるように構成された請求項１から４までのいずれか一つの項に記載の電子時計の押ボタン用スイッチ構造体。
【請求項６】
前記クリック感生成板ばねの前記戻しばね受部が、板状部の主面に形成されている請求項１から３までのいずれか一つの項に記載の電子時計の押ボタン用スイッチ構造体。
【請求項７】
前記戻し板ばね及び前記クリック感生成板ばねが相互に交差する面内で弾性変位されるように構成された請求項６に記載の電子時計の押ボタン用スイッチ構造体。
【請求項８】
前記戻し板ばね及び前記クリック感生成板ばねが共通の母材の連続的につながった異なる部分からなる請求項１から７までのいずれか一つの項に記載の電子時計の押ボタン用スイッチ構造体。
【請求項９】
前記母材が、電池の一方の電極の端子である請求項８に記載の電子時計の押ボタン用スイッチ構造体。
【請求項１０】
前記戻し板ばねがスイッチ接点を備える請求項１から８までのいずれか一つの項に記載の電子時計の押ボタン用スイッチ構造体。
【請求項１１】
請求項１から１０までのいずれか一つの項に記載の押ボタン用スイッチ構造体を備えた電子時計。
【発明の詳細な説明】
【技術分野】
【０００１】
本発明は、電子時計の押ボタン用スイッチ構造体及びこれを備えた電子時計に係る。
【背景技術】
【０００２】
押ボタンスイッチにおいて、その押圧操作が確かに行われたことを操作者が実感できることが望ましい。特に、腕時計のような電子時計のストップウォッチ機能等の作動や停止等に用いられる押ボタンスイッチは、該電子時計において利用可能なスペースが限られることから、そのサイズが小さくなるので、クリック感付与のために各種の構造が提案されている。
【０００３】
クリック感を付与し得るタイプの押ボタン用スイッチ構造体としては、押ボタンの軸部の外周の溝部にゴムのような材料弾性を備えた弾性材を突出可能に取付けておくと共に、ボタン軸部が嵌合された穴の周面に溝を設けておき、押ボタンの押圧に伴いボタン軸部が該軸部の延在方向に押込まれる際、弾性材が溝部に対面する中間押込み位置に達すると弾性材が突出して溝部に一旦係合し更に強い押込み力の作用下で初めて弾性材が引込んで軸部が更に奥に押込まれるものが提案されている（特許文献１）。この場合一旦溝部に嵌った弾性材を溝部から引込めるように軸部を押込む際に、クリック感が得られる。なお、このタイプのスイッチ構造体では、押ボタンを元の突出位置に復帰させるための力を及ぼすコイルばねが別途設けられている。
【０００４】
しかしながら、溝部、ゴム様弾性材及びコイルばねを押ボタンのところに組込もうとすると、特許文献１の図１〜図４に示されているように、押ボタン自体の構造が複雑化するのを避け難い。また、ゴム弾性を利用するだけでなく、該ゴムに嵌合面に交差する方向の突出及び引込みの変形を要求することから、長期間安定な動作を期待し難い虞れがある。
【０００５】
また、押ボタンによって回動変位されるレバーにＵ字形のばねを一体的に形成し、該Ｕ字形ばねの先端部に形成した凹部がピンに係脱可能にしたものも提案されている（特許文献２）。この場合、ピンに一旦係合したＵ字形ばねの先端部の凹部がピンを乗越えて係合状態から脱するようにレバー一体化Ｕ字形ばねを回動させるべく押ボタンを押込む際に、クリック感が得られる。なお、このタイプのスイッチ構造体では、押ボタンを元の突出位置に復帰させるためにレバーに復帰力を与える板ばねが別途設けられている。
【０００６】
しかしながら、この場合、Ｕ字形ばねを用いて該Ｕ字形ばねの全体的な変形及び揺動を利用していることから、例えば、特許文献２の図１に示されているように、Ｕ字形ばね（７ｂ）の動作領域を広く確保する必要がある。
【特許文献１】特許第３５５１７２６号明細書
【特許文献２】特許第３２３２５９８号明細書
【発明の開示】
【発明が解決しようとする課題】
【０００７】
本発明は、前記諸点に鑑みなされたものであって、その目的とするところは、狭いスペースで長期間安定に動作し且つ確実にクリック感を与え得る電子時計の押ボタン用スイッチ構造体及びこれを備えた電子時計を提供することにある。
【課題を解決するための手段】
【０００８】
本発明の電子時計の押ボタン用スイッチ構造体は、前記目的を達成すべく、押圧力入力端部を手前側に備えると共に戻しばね押圧部を奥側に備え、前記押圧力入力端部が突出する突出位置と該押圧力入力端部が押込まれる押込み位置との間で往復動可能な押ボタンにより作動される電子時計の押ボタン用スイッチ構造体であって、ボタン受部とクリック感生成ばね押圧部とを備え、前記押ボタンが押込み位置に向かって押込まれる際に前記戻しばね押圧部の押圧力を前記ボタン受部で受けて一方向に弾性変形される戻し板ばねと、戻しばね受部を備え、前記戻し板ばねの前記変形に伴う前記クリック感生成ばね押圧部の押圧力を前記戻しばね受部で受けて弾性変形されるクリック感生成板ばねとを具備し、前記戻しばね受部が、前記戻し板ばねの前記クリック感生成ばね押圧部の変位が所定レベル以下である場合に該クリック感生成ばね押圧部の押圧力を受ける第一の斜面部と、境界を介して該第一の斜面部につながり、前記戻し板ばねの前記クリック感生成ばね押圧部の変位が所定レベルを越えた際に該クリック感生成ばね押圧部の押圧力を受ける第二の斜面部とを有し、前記境界における前記第二の斜面部の接線が該境界における前記第一の斜面部の接線とは異なる方向で且つ前記第一の斜面部の接線よりも前記クリック感生成ばね押圧部の変位方向に近い方向に延びている。
【０００９】
本発明の電子時計の押ボタン用スイッチ構造体では、二つの板ばね（戻し板ばね及びクリック感生成板ばね）を組合わせるだけであるから、構造が単純化され得るだけでなく、その占有スペースも最低限に抑えられ得る。
【００１０】
本発明の電子時計の押ボタン用スイッチ構造体では、特に、「前記戻し板ばねの前記クリック感生成ばね押圧部の変位が所定レベル以下である場合に該クリック感生成ばね押圧部の押圧力を受ける第一の斜面部と、境界を介して該第一の斜面部につながり、前記戻し板ばねの前記クリック感生成ばね押圧部の変位が所定レベルを越えた際に該クリック感生成ばね押圧部の押圧力を受ける第二の斜面部とを有し、前記境界における前記第二の斜面部の接線が該境界における前記第一の斜面部の接線とは異なる方向で且つ前記第一の斜面部の接線よりも前記クリック感生成ばね押圧部の変位方向に近い方向に延びている」ので、戻し板ばねのクリック感生成ばね押圧部が、クリック感生成板ばねの第一の斜面部に係合する状態から第二の斜面部に係合する状態へと両斜面部の境界を越えて変位する際に、クリック感を付与し得る。すなわち、本発明の電子時計の押ボタン用スイッチ構造体では、板ばね同士の係合部（戻し板ばねのクリック感生成ばね押圧部とクリック感生成板ばねの戻しばね受部）において、戻しばね受部の形状に起因するクリック感を与え得るから、単純な構造で且つ最低限のスペースを占有するだけで、確実にクリック感を与え得る。特に、本発明の電子時計の押ボタン用スイッチ構造体では、「境界における第二の斜面部の接線が該境界における第一の斜面部の接線とは異なる方向で且つ第一の斜面部の接線よりもクリック感生成ばね押圧部の変位方向に近い方向に延びる」という形状によって、クリック感を付与するから、ゴム様弾性材のような損傷や劣化の虞れがなく長期間安定に動作され得且つＵ字形ばねのような大きな動作面積を要しない。
【００１１】
以上において、動作範囲では、典型的には、戻し板ばねのばね力が、クリック感生成板ばねのばね力よりも大きい。その場合、押下げ完了後においては、戻し板ばねが復帰の際に押ボタンを突出位置に戻し、該戻し板ばねの復帰に伴いクリック感生成板ばねもそれ自体のばね力で復帰され得る。但し、所望ならば、両者が同程度か逆であってもよい。
【００１２】
本発明の電子時計用押ボタンスイッチ構造体では、典型的には、前記押ボタンが直線的に往復動するように構成され、前記戻し板ばねのボタン受部及びクリック感生成ばね押圧部が該押ボタンの移動方向に沿う方向に変位されるように構成される。
【００１３】
この場合、スイッチ構造体の構造を単純化し且つ占有スペースを最低限に抑え得る。ここで、「押ボタンの移動方向に沿う方向」は、典型的には、押ボタンの移動方向と平行な方向であるけれども、概ね同様な方向であれば平行な方向から多少ずれていてもよい。なお、所望ならば、押ボタンが、直線的に往復動する代わりに例えば揺動してもよく、また、前戻し板ばねのボタン受部及びクリック感生成ばね押圧部のうちの一方又は両方の変位方向が押ボタンの移動方向に対して交差する方向であってもよい。
【００１４】
本発明の電子時計の押ボタン用スイッチ構造体では、典型的には、前記戻しばね受部の前記第一の斜面部は、前記境界に近付くほど該斜面部の接線と前記クリック感生成ばね押圧部の変位方向との角が大きくなるように弧状に湾曲した弧状湾曲部からなり、前記第二の斜面部が該弧状湾曲部の延在端から該湾曲部に対して交差する向きに直線状に延在している。
【００１５】
これにより、クリック感が確実に与えられ得る。但し、第一の斜面部は、弧状に湾曲する代わりに、単なる斜面部であってもよい。この場合でも、戻し板ばねの押圧に伴いその反力が増加するので、戻し板ばね自体が、クリック感を与える前の押圧感を多少は与え得る。
【００１６】
本発明の電子時計の押ボタン用スイッチ構造体では、典型的には、前記クリック感生成板ばねの前記戻しばね受部が、板状部の側面に形成されている。これにより、板ばねの面状の拡がりが効果的に利用され得、且つ該戻しばね受部自体が変形されるのを最低限に抑え得る。なお、この場合、クリック感生成板ばねはその板ばねとしての変形可能部（板ばね形成部ないしばね本体部）の面と戻しばね受部の面との間に、面の向きを変える折曲部があってもばね本体部が幅の細い板状部からなっていてもよい。
【００１７】
なお、本発明の電子時計用押ボタンスイッチ構造体では、前記クリック感生成板ばねの前記戻しばね受部が、板状部の側面に形成される代わりに、板状部の主面に形成されていてもよい。
【００１８】
本発明の電子時計の押ボタン用スイッチ構造体では、
（１）前記クリック感生成板ばねの前記戻しばね受部が、板状部の側面に形成されていても、
（２）前記戻し板ばね及び前記クリック感生成板ばねが相互に交差する面内で弾性変位されるように構成されていてもよい。
【００１９】
本発明の電子時計の押ボタン用スイッチ構造体では、典型的には、前記戻し板ばね及び前記クリック感生成板ばねが共通の母材の連続的につながった異なる部分からなる。
【００２０】
この場合、押ボタン用スイッチ構造体が実際上一体物で、典型的には板ばね材の打抜き及び折り曲げにより形成され得るから、部品点数や加工工数等も最低限に抑えられ得る。但し、所望ならば、別々に形成した板ばね部を任意の固定手段で一体化してもよい。
【００２１】
本発明の電子時計の押ボタン用スイッチ構造体では、典型的には、前記母材が、電池の一方の電極の端子である。
【００２２】
この場合、板ばね材の支持が容易且つ確実に行われ得るだけでなく、関連回路系も単純化され得る。
【００２３】
なお、本発明の電子時計の押ボタン用スイッチ構造体において、前記戻し板ばねがスイッチ接点を備えていてもよい。
【００２４】
本発明の電子時計は、上記のような押ボタン用スイッチ構造体を備える。この押ボタンスイッチ構造体は、典型的には、腕時計等において各種機能のサイドスイッチとして用いられる。
【発明を実施するための最良の形態】
【００２５】
本発明の好ましい実施の形態のいくつかのを添付図面に示した好ましい実施例に基づいて説明する。
【実施例】
【００２６】
図１、図２の（ａ）及び（ｂ）、並びに図３に示した本発明の好ましい一実施例において、電子時計の押ボタン用スイッチ構造体１は、基本構造を示す図１からわかるように、押ボタン１０によって作動される戻し板ばね２０と、クリック感生成板ばね３０とを有する。なお、押ボタン１０をスイッチ構造体１の一部として備えていてもよい。
【００２７】
押ボタン１０は、この例では、全体として円柱状の軸体１１からなる。軸体１１は、一端部１２がユーザないし操作者の側（手前側）に位置し、操作者の指による押圧力Ｆ１を受ける押圧力入力端部になり、他端部１３が電子時計本体（図示せず）の内部側（奥側）に位置する円錐台状の戻しばね押圧部になっている。軸体１１の形態の押ボタン１０は、押圧力入力端部１２が突出する突出位置Ｐ１（図１）と該押圧力入力端部１２が押込まれた押込み位置Ｐ２（図３）との間で軸体１１の延在方向Ａに沿って、Ａ１，Ａ２方向に往復動可能に、地板や時計ケースの如き支持体２の孔３内に嵌合され該支持体２によって支持されている。
【００２８】
戻し板ばね２０は、地板の如き支持体２によって基端２１側で支持された戻し板ばね本体部２２を有する。押ボタン１０が突出位置Ｐ１にある場合、戻し板ばね２０の板ばね本体部２２及び板状伝達部２３は、Ａ方向に対して実質的に直角な方向に延びている。戻し板ばね本体部２２の先端側には、幅広板状の伝達部２３が形成されている。従って、戻し板ばね２０は、板ばね本体部２２の厚さ方向に弾性的に撓み可能で、伝達部２３は、該撓みに応じてＢ１，Ｂ２方向に揺動可能である。板ばね本体部２２がそのＢ１，Ｂ２方向の変位量と比較して十分に長いとみなし得る場合、Ｂ１，Ｂ２方向は、概ね又は実質的に、Ａ１，Ａ２方向と一致する。但し、板ばね本体部２２が比較的短く、揺動方向Ｂ１，Ｂ２が比較的小さい円弧に沿って変化する向きであってもよい。
【００２９】
伝達部２３のうち押ボタン１０の戻しばね押圧部１３に対面する側の主面２４は、押ボタン１０が押込み位置Ｐ２に向かってＡ１方向に押込まれる際に該押ボタン１０の押圧部１３のＡ１方向の押圧力Ｆ１を受けるボタン受部になっている。伝達部２３が主面２４で押圧力Ｆ１を受けると、戻し板ばね２０は、Ｂ１方向に弾性変形される。
【００３０】
戻し板ばね２０の板状伝達部２３は、更に、クリック感生成ばね押圧部として働く端縁２５を有する。戻し板ばね２０のＢ１方向の弾性変形に伴い、その押圧部２５もＢ１方向に変位する。
【００３１】
クリック感生成板ばね３０は、地板の如き支持体２によって基端３１側で支持された第二の板ばね本体部３２を有する。該第二の板ばね本体部３２の先端側には、幅広板状の可変抵抗生成部３３が形成されている。可変抵抗生成部３３の板状面は、戻し板ばね２０の伝達部２３の板状面に対して交差する方向に、典型的には直角な方向に、延在している。可変抵抗生成部３３の先端部には、案内兼剛性付与用の立上り部（折曲部）３３Ｑが形成されている。
【００３２】
なお、クリック感生成板ばね３０の本体部３２は、可変抵抗生成部３３の板状面に対して直角で且つ戻し板ばね２０の伝達部２３の板状面に対して概ね又は実質的に直角な面に沿って延在した板ばねになっている。即ち、クリック感生成板ばね３０の本体部３２は、その厚さ方向に弾性的に撓み可能で、可変抵抗生成部３３は、Ｄ１，Ｄ２方向に揺動可能である。但し、本体部３２がＤ１，Ｄ２方向に弾性的に撓み可能である限り、本体部３２は、板状可変抵抗生成部３３と面一の面を備え且つ幅が狭く細長い板状部からなっていてもよい。また、図１において、想像線３２Ｓで示したように、戻し板ばね２０の本体部２２と平行な板状部からなっていてもよく、その場合、該板状部３２Ｓは、Ｅ１，Ｅ２方向に揺動可能で、Ｅ１，Ｅ２方向揺動の際に可変抵抗生成部３３がＤ１，Ｄ２方向にも揺動され得る。勿論、クリック感生成板ばね３０本体部は、符号３２で示した向きと符号３２Ｓで示した向きとの間の向きに延び、図１の面内で揺動される形態の板ばねになっていてもよい。
【００３３】
この例では、クリック感生成板ばね３０の本体部３２の剛性（ばね定数）は、典型的には、戻し板ばね２０の本体部２２の剛性（ばね定数）よりも十分に小さい。従って、以下では、この前提で説明する。但し、剛性（ばね定数）が同程度であっても、クリック感生成板ばね３０の本体部３２の剛性（ばね定数）が戻し板ばね２０の本体部２２の剛性（ばね定数）よりも多少大きくてもよい。
【００３４】
クリック感生成板ばね３０の板状の可変抵抗生成部３３は、側面の縁部すなわち側縁３４に戻しばね受部３５を備え、戻し板ばね２０のＢ１方向変形に伴うその押圧部２５のＢ１方向ないしＡ１方向の押圧力Ｆ１を戻しばね受部３５で受けてＤ１方向に弾性変形される。
【００３５】
戻しばね受部３５は、板状可変抵抗生成部３３の側縁３４に形成された第一の斜面部４０と第二の斜面部５０とを有する。
【００３６】
第一の斜面部４０は、全体として概ね円弧状で、より詳しくは、一端４１においてほぼＡ方向に延びた直線状面部又は平面状面部４２と、該直線状面部４２の内側端４３に外側端４４で滑らかにつながり且つ９０度よりも少し少ない角度範囲にわたって連続的に延びた円弧状斜面部４５とを有する。円弧状斜面部４５の内側延在端４６は、クリック感生成板ばね３０がＤ１方向に最大限撓んだ状態においてもＡ方向に対する傾斜（図１において右下に傾斜）が残り得る程度にＡ方向に対して傾斜（図１において右下に傾斜）している。戻し板ばね２０の押圧部２５のＢ１方向変位が所定レベル以下である場合、クリック感生成板ばね３０はＤ１方向に撓むと共に第一の斜面部４０で該押圧部２５の押圧力Ｆ１を受ける（後で詳述する図２の（ｂ））。
【００３７】
第一の斜面部４０と第二の斜面部５０とは境界領域６０を介してつながっている。この境界領域６０は、丸みのある角部ないし小円弧状角部６１からなり、該小円弧状角部６１の一端６２において、第一の斜面部４０の内側延在端４６に連続的に且つ実際上滑らかにつながっている。一方、境界領域６０の小円弧状角部６１の他端６３は、その接線Ｔ２（図２の（ａ）及び図３参照）が押ボタン１０の軸部１１の延在方向Ａに対して概ね又は実質的に平行になるように延びる。
【００３８】
第二の斜面部５０は、実際上直線状（平面状）面部５１からなり、手前側端部５２において、境界領域６０の小円弧状角部６１の端部６３に連続的に且つ滑らかにつながっている。
【００３９】
以上において、境界領域６０は、角部６１が過度に尖るのを避けるべく該角部６１に丸みを与えるように小円弧状になっているけれども、その大きさ乃至拡がりは、典型的には無視し得る程度に小さい。従って、以下では、特に必要がない限り、境界領域６０は単なる点であるとみなす。すなわち、第二の斜面部５０の手前側端部５２は、第一の斜面部４０との境界６０において該第一の斜面部４０の内側延在端４６における接線Ｔ１に対して非連続的に変化する接線Ｔ２を有する（図２の（ａ）参照）。即ち、接線Ｔ１，Ｔ２は角度を成して交わる。この角度は、典型的には、９０度よりも小さく且つ９０度に近い（例えば、６０〜７０度程度又はそれ以上、但しより小さくてもよい）。境界６０における第一の斜面部４０の接線Ｔ１と押圧部２５の変位方向Ｂ１とのなす角度は、９０度よりも小さいけれども、相当大きいのに対して、境界６０における第二の斜面部５０の接線Ｔ２と戻し板ばね２０の押圧部２５の変位方向Ｂ１とのなす角度は極めて小さいか実際上ゼロである。
【００４０】
戻し板ばね２０の押圧部２５のＢ１方向変位が所定レベルに達すると、押圧部２５が丁度境界６０に達する。従って、実際上Ａ方向ないしＢ１方向に延在した第二の斜面部５０は、戻し板ばね２０の押圧部２５のＢ１方向変位が所定レベルを越えた際に該押圧部２５の押圧力Ｆ１を受ける、すなわち、該押圧力Ｆ１を実際上逃がす。
【００４１】
以上の如く構成された電子時計用スイッチ構造体１の操作及び動作について、図１に加えて、図２の（ａ）及び（ｂ）並びに図３に基づいて、説明する。
【００４２】
図１及び図２の（ａ）に示したように初期位置（突出位置）Ｐ１にある押ボタン１０をＡ１方向に押し下げると、戻し板ばね２０の押圧部２５が図２の（ａ）において符号Ｂ１で示した向きに揺動する。この揺動に伴い、押圧部２５が、クリック感生成板ばね３０のばね受部３５の第一の斜面部４０の円弧状部４５に当接する。押ボタン１０のＡ１方向の押下げが更に進行すると、戻し板ばね２０の押圧部２５のＢ１方向揺動に伴ないクリック感生成板ばね３０がばね受部３５の第一の斜面部４０の円弧状部４５でＢ１方向の力を受けてＤ１方向に撓みはじめる。即ち、戻し板ばね２０の押圧部２５のＢ１方向揺動に伴い、戻し板ばね２０の押圧部２５が第一の斜面部４０の円弧状部４５に沿ってＢ１方向に変位するように、該クリック感生成板ばね３０のばね受部３５がＤ１方向に揺動される（図２の（ｂ））。なお、この変位に伴い円弧状部４５のうち戻し板ばね２０の押圧部２５が当接する部位の傾斜が小さくなるので、押ボタン１０の押圧感は増す。この変位は、戻し板ばね２０の押圧部２５がクリック感生成板ばね３０の円弧状部４５の端４６に達するまで継続し、押圧部２５が、図３において実線で示したように該端４６に達すると、短い境界６０を一気に通過して第二の斜面部５０の端５２を越え該第二の斜面部５０に接する位置にＢ１方向に変位される（図３の想像線で示した状態Ｐ２）。このとき、押圧部２５のＢ１方向変位に対する抵抗が急減し実際上ゼロに近くなる。その結果、押ボタン１０をＡ１方向に押圧している操作者は、押圧に伴うクリック感を感じ得る。
【００４３】
この押ボタン用スイッチ構造体１では、押ボタン１０の押圧位置に応じてクリック感生成ばね３０の第一及び第二の斜面部４０，５０の各部位に戻しばね２０の押圧部２５が選択的に係合するので、確実にクリック感が得られ、ゴム様弾性材を要しないので長期間安定に動作し得、レバーの如く走査し回動するＵ字状ばねを要しないので、狭いスペースで動作され得る。
【００４４】
復帰に際しては、クリック感を感じることにより適切な押圧が行われたことを感知した操作者が、押ボタン１０に対するＡ１方向押圧力Ｆ１を解除するので、戻し板ばね２０がそれ自体のばね力でＢ２方向に復帰すると共に押ボタン１０をＡ２方向に突出位置Ｐ１まで押戻し、戻し板ばね２０による押圧力が解除されたクリック感生成板ばね３０がそれ自体のばね力でＤ２方向に復帰する。
【００４５】
以上において、クリック感を更に強くするために、一旦、第二の斜面部５０に達した押圧部２５が係止される凹部ないし切欠部５５（図２の想像線）が第二の斜面部５０に形成されていてもよい。この凹部ないし切欠部５５は、操作者によるＦ１方向押圧力が解除された際に、戻しばね２０がＢ２方向に復帰し得る程度に軽く係合されるような形状を有する。
【００４６】
以上のようなスイッチ構造体１を構成する戻し板ばね２０及びクリック感生成板ばね３０は、別体で形成されてもよいけれども、好ましくは、例えば図４の（ａ）及び（ｂ）に示したように、一つの共通の板ばねないし母材７０の別の部分として、一体的に形成される。
【００４７】
図４の（ａ）からわかるように、共通板ばね７０は、戻し板ばね２０を形成する第一の板ばね部７１と、クリック感生成板ばね３０を形成する第二の板ばね部７２とを有し、該第一及び第二の板ばね部７１，７２は、接続部７３でつながっている。なお、この例では、第二の板ばね部７２のうち板ばね部分７４が、図１において想像線で示したばね本体部３２Ｓと同様に、クリック感生成板ばね３０のばね本体部３２として働く。すなわち、板ばね部分７４がＥ１，Ｅ２方向に撓むことにより第二の板ばね部７２の可変抵抗生成部３３がＤ１，Ｄ２方向に変位され得る。なお、図２の（ａ）の状態から図２の（ｂ）の状態に至る間、及びその後図３において実線で示す状態に至るよりも少し前までは、可変抵抗生成部３３がＤ１方向には殆ど変位されず単にＥ１方向に変位されることにより、戻し板ばね２０がＢ１方向に撓むようになっていてもよい。その場合でも、戻し板ばね２０（７１）の押圧部２５が境界６０に達すると、可変抵抗生成部３３が急激にＤ１方向に撓むようにばね本体部３２Ｓ（７４）の先端部近傍部分がＥ１方向に撓むことによりクリック感を与え得る。
【００４８】
板ばね７０は、図４の（ｂ）に示したような打抜き板金母材７５を、折曲線Ｈ１，Ｈ２，Ｈ３，Ｈ４に沿って、折り曲げることにより形成される。なお、母材７５は、例えば、板金の打ち抜きにより形成される。なお、母材７５は、例えば、接続部７３につながる大きな板状部分７６を備えていてもよい。その場合、板状部分７６は、いわゆる電池プラス端子のように、電子時計の給電源となる電池（図示せず）の電極に接続されて各種の電気部品ないし電子部品の基準電位を与える面（アース面）になっていてもよい。
【００４９】
また、この板ばね７０において、例えば、想像線７８で示したように切欠かれて打抜かれる場合には、狭幅の細長い部分７９が図１のばね本体部３２と同様な役割を果たし得る。勿論、所望ならば、複数の折曲部分によってばね本体部３２と同等のばね部分を形成してもよい。
【００５０】
共通の板ばねとしては、戻し板ばね２０を形成する第一の板ばね部及びクリック感生成板ばね３０を形成する第二の板ばね部とを一体的に備える限り、図４に示した板ばね７０の代わりに、他のどのような形状のものであってもよい。
【００５１】
例えば、図５の（ａ）から（ｃ）には、別の共通の板ばね８０が、示されている。この板ばね８０は、戻し板ばね２０を形成する第一の板ばね部８１と、クリック感生成板ばね３０を形成する第二の板ばね部８２とを有し、該第一及び第二の板ばね部８１，８２は、Ｕ字状接続部８３でつながっている。なお、この例では、Ｕの一方の脚部をなす板ばね部分８４及びＵ字状接続部８３のうちの少なくとも一部（但し、可変抵抗生成部３３として働く板状部分８５に連続的につながった部分）がクリック感生成板ばね３０のばね本体部３２Ｓとして働く。また、この例では、Ｕの他方の脚部をなす板ばね部分８６が幅広でばね力の大きい板ばねになっている。従って、ばね本体部３２として働く部分がＥ１，Ｅ２方向に撓むことにより第二の板ばね部８２の可変抵抗生成部３３がＤ１，Ｄ２方向に変位され得る。
【００５２】
なお、板ばね８０は、この例では、戻し板ばね２０の板状伝達部２３として働く板状部分８７から第一の板ばね部８１に対して直角方向に延びた延設部８８Ａの先端に接点部８８が形成されている。
【００５３】
この共通板ばね８０は、例えば、図６及び図７に示したように、Ｕ字状接続部８３、脚部８４のうち該Ｕ字状接続部８３に隣接する部分８４Ａ及び板ばね部８６のうちＵ字状接続部８３に隣接する部分８６Ａが、地板の如き支持体２のＵ字状溝４内に嵌込まれて実際上固定される。従って、一方の脚部８４のうち部分８４Ａ以外の部分８４Ｂ及び他方の脚部をなす板ばね部８６のうち部分８６Ａ以外の部分８６Ｂが、クリック感生成板ばね３０及び戻し板ばね２０の板ばね本体部３２Ｓ及び２２として働くように、地板の如き支持体２の空所内においてＥ１，Ｅ２方向及びＢ１，Ｂ２方向に可動に位置する。なお、溝４の外周から連続的に延びた壁部５は、クリック感生成板ばね３０として働く第二の板ばね部８２の板ばね本体部３２ＳのＥ１方向変位を規制する。
【００５４】
この共通板ばね８０は、馬蹄形の内部空所８９には、他の部材が配置可能であり、図６及び図７に示した例の場合、例えば、日車６の回転を躍制する日ジャンパ７の回動中心軸７Ａが配置されている。勿論、他の所望の静置部材が配置されてもよく、更に、空所８９の範囲内に確実に収まり得る限り、可動部材が配置されてもよい。即ち、共通板ばね８０は、Ｕの全体が全領域を走査するように回動する特許文献２のレバー等とは異なり、板ばね部８４Ｂ，８６Ｂ等が揺動するだけであるから、空所８９内の領域が他の時計部品の配置にそのまま利用され得るので、占有面積が最低限に抑えられ得る。このことは、図４に示した共通板ばね７０の場合も同様である。
【００５５】
なお、図８からわかるように、この共通板ばね８０の接点部８８は、例えば、二つの接点８Ａ，８Ｂを接続する接点部として働き得る。すなわち、戻し板ばね２０として働く第一の板ばね部８１がクリック感生成板ばね３０として働く第二の板ばね部８２に対してクリック感が得られるところまでＢ１方向に押込まれると、接点部８８が二つの接点８Ａ，８Ｂに当接してこれらを電気的に接続する。接点８Ａ，８Ｂは、例えば、電源電位を与える接点と、他の時計部品の給電端子につながった接点とからなる。勿論、所望ならば、戻し板ばね２０として働く第一の板ばね部８１のＢ１方向変位に伴って変位される可動接点が、接点部８８の代わりに、別体として設けられていてもよい。前に説明した全ての実施例においても同様である。
【００５６】
共通板ばね８０は、例えば、押ボタンスイッチ毎に形成され配置され得る。図９は、クロノグラフ時計等において、スタートストップ用スイッチを構成する共通板ばね８０Ａ及びリセット用スイッチを構成する共通板ばね８０Ｂとして、二つの共通板ばねが用いられた例を示す。ここで、共通板ばね８０Ａ，８０Ｂは、夫々、共通板ばね８０と同様な形状や構造を有するので、詳細な説明は省く。
【００５７】
戻し板ばね及びクリック感生成板ばねが同一の平面内又は平行な平面内で揺動される代わりに、相互に交差する平面、典型的には相互に直交する平面内で揺動されてもよい。
【００５８】
図１０に示した電子時計用押ボタンスイッチ構造体１Ａでは、Ａ１，Ａ２方向に往復動可能に支持体２に支持された押ボタン１０ＡのＡ１，Ａ２方向の変位に応じて、戻し板ばね２０ＡがＢ１，Ｂ２方向に揺動され、該戻し板ばね２０ＡのＢ１，Ｂ２方向の弾性的な撓みに伴う伝達部２３ＡのＢ１，Ｂ２方向変位に応じて、クリック感生成板ばね３０Ａの板ばね本体部３２ＡのＤ１，Ｄ２方向の弾性的な撓みに従って、クリック感生成板ばね３０Ａの抵抗生成部３３ＡがＤ１，Ｄ２方向に揺動される。クリック感生成板ばね３０Ａの揺動面は、戻し板ばね２０Ａの揺動面に対して実際上直角である。
【００５９】
なお、この例の場合、戻し板ばね２０Ａのうちクリック感生成板ばね３０Ａに押ボタン１０ＡのＡ１方向押圧力Ｆ１を伝達するのは、典型的には、戻し板ばね２０Ａの側縁２５Ａであるけれども、該側縁２５Ａの代わりに該側縁近傍２５Ａの主面部分２６Ａであってもよい。
【００６０】
また、この例の場合、クリック感生成板ばね３０Ａのうち戻しばね受部３５Ａが、板状部の側面ではなくて、板状部の主面からなる。すなわち、戻しばね受部３５Ａは、ばね本体部３２Ａに対して傾斜した傾斜板状部３６Ａの傾斜主面４５Ａと、ばね本体部３２Ａと一列で該ばね本体部３２Ａの一部とみなしてもよい細長い平面状板状部５６Ａの主面５７Ａからなる。ここで、傾斜板状部３６Ａの傾斜主面４５Ａが第一の斜面部４０Ａを構成し、平面状板状部５６Ａの主面５７Ａが第二の斜面部５０Ａを構成する。また、傾斜板状部３６Ａの傾斜主面４５Ａと平面状板状部５６Ａの主面５７Ａとの間には、境界６０Ａとして働く角部が形成されている。この角部が丸められていてもよいことは、前述のとおりである。
【００６１】
この電子時計用押ボタンスイッチ構造体１Ａにおいても、押ボタン１０ＡのＡ１方向の押圧の進行に応じて、戻し板ばね２０ＡがＢ１方向に撓んでその側縁２５Ａがクリック感生成板ばね３０の傾斜板状部３６Ａの傾斜主面４５Ａに当接し、更に、クリック感生成板ばね３０Ａの傾斜板状部３６Ａの傾斜主面４５ＡをＤ１方向に変位させながらＢ１方向に変位する。戻し板ばね２０Ａの側縁２５Ａが、クリック感生成板ばね３０Ａの傾斜板状部３６Ａの傾斜主面４５Ａの端の境界６０Ａに達するとクリック感生成板ばね３０Ａによる戻し板ばね２０Ａに対する抵抗が突然急激に減少して、側縁２５Ａが平面状板状部５６Ａの主面５７Ａに沿って容易にＢ１方向に変位される。その結果、押ボタン１０Ａを押圧する操作者は、指先でクリック感を感じ得る。
【００６２】
復帰に際しては、戻し板ばね２０Ａがそれ自体のばね力でＢ２方向に復帰すると共に押ボタン１０ＡをＡ２方向に押戻し、戻し板ばね２０Ａによる押圧力が解除されたクリック感生成板ばね３０Ａがそれ自体のばね力でＤ２方向に復帰することは、前述のとおりである。
【００６３】
クリック感生成板ばねが、戻し板ばねの揺動方向に対して直角な方向に揺動する場合、図１１に示したように、電子時計用スイッチ構造体１Ｄが、二つの戻し板ばね２０Ｂ，２０Ｃと共通の一つのクリック感生成板ばね３０Ｄとを備えた一対のスイッチ９Ｂ，９Ｃを有していてもよい。
【００６４】
この電子時計用スイッチ構造体１Ｄでは、戻し板ばね２０Ｂ及びクリック感生成板ばね３０Ｄの片側部分３０Ｂにより一方のスイッチ９Ｂが形成され、戻し板ばね２０Ｃ及びクリック感生成板ばね３０Ｄの他側部分３０Ｃにより他方のスイッチ９Ｃが形成される。
【００６５】
この場合、クリック感生成板ばね３０Ｄの板ばね部３２Ｄが長手方向軸線のまわりでねじれ得るトーションばねの形態を採り得るときには、スイッチ９Ｂ，９Ｃが独立にクリック感を有するスイッチとして働き得る。板ばね部３２Ｄがトーションばねとして確実に働き得るようにするために、図１１の（ａ）及び（ｃ）において想像線３２ＤＴで示したように、板ばね部３２Ｄの少なくとも一部が細くなっていてもよい。
【図面の簡単な説明】
【００６６】
【図１】本発明の好ましい一実施例の押ボタンスイッチ構造体の斜視説明図。
【図２】図１のスイッチ構造体の動作状態を示したもので、（ａ）は押ボタンを戻し板ばねに当接するところまで押し下げた状態を示した斜視説明図、（ｂ）は押ボタンの押圧によりクリック感生成板ばねを撓ませつつ戻し板ばねをクリック感生成板ばねの斜面部に沿って途中まで押し下げた状態を示した斜視説明図。
【図３】図１のスイッチ構造体の別の動作状態を示したもので、押ボタンの押圧によりクリック感生成板ばねを撓ませつつ該クリック感生成板ばねの境界部を越えてクリック感生成板ばねを押し下げている状態を示した斜視説明図。
【図４】図１の押ボタンスイッチ構造体を構成する二つのばね部を一体に構成する一例を示したもので、（ａ）は二つのばねが一体的に形成された板金打抜き折曲体の斜視説明図、（ｂ）は（ａ）の板金打抜き折曲体を形成するために打抜かれた板金の折曲前の状態を示した平面説明図。
【図５】図１の押ボタンスイッチ構造体を構成する二つのばね部を一体に構成する別の一例を示したもので、（ａ）は二つのばねが一体的に形成された板金打抜き折曲体の平面説明図、（ｂ）は（ａ）の正面（手前側側面）説明図、（ｃ）は（ａ）の板金打抜き折曲体の斜視説明図。
【図６】図５の板金打抜き折曲体を有するスイッチ構造体を組込んだ電子時計の関連部分の平面説明図。
【図７】図６の関連部分の斜視説明図。
【図８】図６の関連部分を反対側から見た斜視説明図。
【図９】図５の板金打抜き折曲体を有するスイッチ構造体を二つ組込んだ電子時計の関連部分の平面説明図。
【図１０】本発明の別の好ましい一実施例の押ボタンスイッチ構造体の斜視説明図。
【図１１】本発明の更に別の好ましい一実施例の押ボタンスイッチ構造体を示したもので、（ａ）は平面説明図、（ｂ）は（ａ）の右側面説明図、（ｃ）は（ａ）の斜視説明図。
【符号の説明】
【００６７】
１，１Ａ，１Ｄ  スイッチ構造体
２  支持体
３  孔
４  溝
５  壁
７  日ジャンパ
８Ａ，８Ｂ  接点
９Ｂ，９Ｃ  スイッチ
１０，１０Ａ  押ボタン
１２  押圧力入力端部
１３  戻しばね押圧部
２０，２０Ａ，２０Ｂ，２０Ｃ  戻し板ばね
２２  ばね本体部
２３  板状電圧部
２４  主面（ボタン受部）
２５  クリック感生成ばね押圧部（端縁）
２５Ａ  側縁
２６Ａ  主面部分
３０，３０Ａ，３０Ｄ  クリック感生成板ばね
３０Ｂ  一側部分
３０Ｃ  他側部分
３２，３２Ａ  板ばね本体部
３３  可変抵抗生成部
３５  戻しばね受部
３６Ａ  傾斜板状部
４０，４０Ａ  第一の斜面部
４２  直線状面部
４５  円弧状斜面部（円弧状部）
４５Ａ  傾斜主面
５０，５０Ａ  第二の斜面部
５７Ａ  主面
６０，６０Ａ  境界領域
６１  丸みのある角部（小円弧状角部）
６２，６３  端
７０，８０，８０Ａ，８０Ｂ  共通板ばね
７１，８１  第一の板ばね部（戻し板ばね）
７２，８２  第二の板ばね部（クリック感生成板ばね）
７３  接続部
７４  板ばね部分
７５  打抜き板金母材
７６  板状部分（電池プラス端子）
８３  Ｕ字状接続部
８４，８６  板ばね部分（Ｕの脚部）
８４Ａ  脚部に隣接する部分
８４Ｂ，８６Ｂ  隣接部以外の部分
８５  板状部分
８６Ａ  Ｕ字状接続部に隣接する部分
８８  接点部
８９  内部空所
Ａ１，Ａ２，Ｂ１，Ｂ２，Ｄ１，Ｄ２，Ｅ１，Ｅ２  方向
Ｆ１  押圧力
Ｐ１  突出位置
Ｐ２  押込み位置
Ｔ１，Ｔ２  接線
【図１】
2008175738.tif 000003
【図２】
2008175738.tif 000004
【図３】
2008175738.tif 000005
【図４】
2008175738.tif 000006
【図５】
2008175738.tif 000007
【図６】
2008175738.tif 000008
【図７】
2008175738.tif 000009
【図８】
2008175738.tif 000010
【図９】
2008175738.tif 000011
【図１０】
2008175738.tif 000012
【図１１】
2008175738.tif 000013